(57)【特許請求の範囲】
【請求項１】
プラグとジャックとの組合せでなる薄型多極コネクタであって、
上記プラグはプラグ側接片群を形成している複数のプラグ側接片を各別に保持した複数の孔部が横配列されてなる横長平板状の接片保持部を有し、
上記ジャックは平板状の基体を有し、その基体に、上記プラグ側接片のそれぞれに各別に接続可能でかつ横配列されて突出された複数のジャック側接片でなるジャック側接片群が保持され、そのジャック側接片群が当該ジャックの少なくとも高さ方向一方側に向けて露出されており、
上記接片保持部の横方向両端部にリブ状の一対の嵌合片部が設けられ、上記基体のジャック側接片群の横方向両側部位に上記嵌合片部をスライドさせて抜き差しすることが可能な一対のスライド溝部が設けられ、それらの嵌合片部とスライド溝部とに、互いに共働して複数の上記ジャック側接片に対して複数の上記孔部を各別に位置合わせするスライド当り面がそれぞれ具備され、
上記嵌合片部の端面がスライド当り面として当該嵌合片部に具備され、
上記スライド溝部は嵌合片部を高さ方向から挟持する一対の溝壁とそれらの一端部を連設している溝底壁とを具備し、この溝底壁の内面がスライド当り面として当該スライド溝部に具備され、
上記嵌合片部は接片保持部よりも肉薄に形成され、嵌合片部の根元部分には、接片保持部の横方向両端面によって形成された段付面が具備されていることを特徴とする薄型多極コネクタ。
【請求項２】
プラグとジャックとの組合せでなる薄型多極コネクタであって、
上記プラグはプラグ側接片群を形成している複数のプラグ側接片を各別に保持した複数の孔部が横配列されてなる横長平板状の接片保持部を有し、
上記ジャックは平板状の基体を有し、その基体に、上記プラグ側接片のそれぞれに各別に接続可能でかつ横配列されて突出された複数のジャック側接片でなるジャック側接片群が保持され、その基体に上記ジャック側接片群を当該ジャックの高さ方向他方側から覆う横長平板状の覆壁部が突出状に具備されていると共に、上記ジャック側接片群が当該ジャックの高さ方向一方側に向けて露出されており、
上記覆壁部と上記接片保持部とに振り分けて、互いに共働して複数の上記ジャック側接片に対して複数の上記孔部を各別に位置合わせする縦方向に長い凹条とその凹条に嵌脱可能な縦方向に長い凸条が設けられ、
上記凹条が上記覆壁部に設けられ、上記凸条が上記接片保持部に設けられると共に、
上記凹条の始部には上記覆壁部が突出した突出部が具備され、上記接片保持部の凸条を設ける面の裏側の面には突起が具備されていることを特徴とする薄型多極コネクタ。
【請求項３】
上記接片保持部の横方向両端部にリブ状の一対の嵌合片部が設けられ、上記基体のジャック側接片群の横方向両側部位に、一対の上記嵌合片部をスライドさせて抜き差しすることが可能な一対のスライド溝部が設けられ、上記覆壁部の横方向両端部が一対の上記スライド溝部の片側の各溝壁に連設されている請求項２に記載した薄型多極コネクタ。
【請求項４】
上記ジャック側接片がピン型接片であり、上記プラグ側接片が、上記孔部に挿入されたジャック側接片が嵌入されるスリーブ型接片である請求項１、請求項２、請求項３のいずれか１つに記載した薄型多極コネクタ。
【請求項５】
上記接片保持部の片面に配線基板の端部表面に重ね合わされる重なり部が形成され、その重なり部が重ね合わされた上記配線基板と共に上記プラグが偏平な中空のカード型ケースに収容され、そのケースの前端に具備された開口に、上記孔部の開口している上記接片保持部の前端面が配備されている請求項１に記載した薄型多極コネクタ。
【請求項６】
上記接片保持部の片面に配線基板の端部表面に重ね合わされる重なり部が形成され、その重なり部が重ね合わされた上記配線基板と共に上記プラグが偏平な中空のカード型ケースに収容され、そのケースの前端に具備された開口に、上記孔部の開口している上記接片保持部の前端面が配備されている請求項２、請求項３、請求項４のいずれか１つに記載した薄型多極コネクタ。
【請求項７】
上記ケースの高さ方向片側の内面に上記配線基板が配備され、その配線基板の端部表面に重ね合わされた上記プラグと上記ケースの高さ方向他側の内面との間に、上記ジャックの覆壁部を挿抜可能な差込み空間が具備されている請求項６に記載した薄型多極コネクタ。
【請求項８】
上記凸条が上記接片保持部に設けられ、その凸条の頂面が上記ケースの高さ方向他側の内面に接触している請求項７に記載した薄型多極コネクタ。
【発明の詳細な説明】
【０００１】
【発明の属する技術分野】
本発明は、薄型多極コネクタに関する。
【０００２】
【従来の技術】
実公平５−５６７１号公報にこの種の薄型多極コネクタについての記載がある。この薄型多極コネクタは、プラグ１００とジャック２００との組合せによって構成されている。プラグ１００は、横配列された所要極数のプラグ側接片４００を保持している横長板片状の接片保持部１１０とその接片保持部１１０に所定間隔を隔てて対向配備された壁部１２０とを一体に備えている。プラグ側接片４００には、所定形状に曲げ成形された細長い導電性弾性片が採用されている。これに対し、ジャック２００は、偏平な中空のカード型ケース（カートリッジ）３００の前端部にそのほゞ全体が収容される状態で取り付けられていて、上記プラグ１００の接片保持部１１０が抜き差しされる横長の挿入空間２１０を有している。また、このジャック２００が取り付けられた配線基板５００に設けられている所要極数の横配列されたジャック側接片５１０が上記挿入空間２１０に臨んでいる。そして、挿入空間２１０にプラグ１００の接片保持部１１０を差し込んだときには、図示のようにプラグ１００の壁部１２０がケース３００の外壁部分の外側に重なり状に配備されるようになっていると共に、上記接片保持部１１０側のプラグ側接片４００が上記ジャック側接片５１０に各別に弾接して電気的接続が図られるようになっている。
【０００３】
この薄型多極コネクタにおいて、複数のプラグ側接片４００と複数のジャック側接片５１０との位置合わせは、プラグ１００の接片保持部１１０の横方向両端面（不図示）がジャック２００に備わっている横方向両側の側壁の内面（不図示）に当たることによって行われる。
【０００４】
また、この薄型多極コネクタでは、壁部１２０が、ジャック側接片５１０に弾接しているプラグ側接片４００と共働してケース３００の上記外壁部分を挟み付けていることによって、接片保持部１１０のぐらつきが防止されて双方の接片４００，５１０の高い接触安定性が得られている。
【０００５】
【発明が解決しようとする課題】
しかしながら、図１１で説明した従来の薄型多極コネクタには次のような問題点が知見された。すなわち、ジャック２００がその横方向両側に側壁を有し、それらの側壁の間にプラグ１００の接片保持部１１０が差し込まれるようになっているので、当該コネクタの横幅寸法が、接片保持部１１０の横幅寸法とジャック２００の横方向両側の側壁の厚さ寸法とを合わせた長さになる。そのため、当該コネクタの横幅寸法をプラグ１００の接片保持部１１０の横幅寸法と同等程度に短くすることができない。また、プラグ１００の壁部１２０を省略すると、接片保持部１１０のぐらつきが防止されなくなって双方の接片４００，５１０の接触安定性が低下するという事態が生じやすくなるので、その壁部１２０を省略して当該コネクタの高さ（厚さ）を低くすることによってさらなる薄形化を促進することには困難がある。
【０００６】
一方、近時の電機機器や通信機器ではその薄型化や全体形状のコンパクト化を図ることが要請されていることを背景として、上記したような薄型多極コネクタの配線基板への実装スペースを確保するには多くの制約がある。そのため、薄型多極コネクタについてもさらなる薄型化やコンパクト化が強く望まれ、実装スペースが狭くて済むような薄型多極コネクタの開発が急務となっている。カード型ケースに薄型多極コネクタを装備させたカード（ＩＣカードなど）の薄形化や全体形状のコンパクト化についても同様である。
【０００７】
一方、従来、図１２や図１３に概略的に示した薄型多極コネクタも知られていた。このものは、配線基板を収容したカード型ケース３１０の前端に突出状態に取り付けられた横長のプラグ１３０と、そのプラグ１３０のその外側に抜き差しされる横長のジャック２２０との組合せでなる。２２１はジャック側接片である。この薄型多極コネクタでは、図１２のようにプラグ１３０の周囲でケース３１０の全端面が外方に張り出しているので、その張出部分によって形成されるプラグ１３０の周囲の凹所３１１をジャック２２０の差込み空間に利用することができる。
【０００８】
しかし、この薄型多極コネクタでは、プラグ１３０がケース３１０の前端から突出しているので、それだけケース３１０の縦長さ（奥行寸法）Ｄが長くなり、そのことが、カード型ケース３１０に薄型多極コネクタを装備させたカードの全体形状のコンパクト化を阻害する要因になっているだけでなく、プラグ１３０の外側にジャック２２０が差し込まれるので、当該コネクタの横幅寸法や高さ寸法をプラグ１００の横幅寸法と同等程度に短くすることができない。
【０００９】
このような薄型多極コネクタに対し、図１４に示したように、プラグ１３０をカード型ケース３１０に収容し、かつ、そのプラグ１３０とケース３１０との隙間空間にジャック２２０を差し込むようにすることも考えられ、そのようにすると、プラグ１３０がケース３１０から突出しないので、それだけケース３１０の縦長さＤが短くなり、カード型ケース３１０に薄型多極コネクタを装備させたカードの全体形状のコンパクト化が促進される。しかし、そのようにすると、プラグ１３０とケース３１０との間にジャック２２０を差し込めるだけの開口幅を有する隙間空間を形成する必要があるので、そのことがケース３１０の横幅寸法や高さ寸法Ｈが長くなる。したがって、図１４のものでは、カード型ケース３１０に薄型多極コネクタを装備させたカードの高さ寸法を短くして全体形状のコンパクト化を図にくい。
【００１０】
本発明は以上の状況に鑑みてなされたものである。
【００１１】
すなわち、本発明は、ジャックにプラグを差し込んだときに両者が図１１〜図１４で説明したような嵌合構造を形成しなくても、双方の接片の高い接触安定性が得られるようにして、さらなる薄形化やコンパクト化が達成される薄型多極コネクタを提供することを目的とする。
【００１２】
また、本発明は、配線基板に搭載するのに必要な実装スペースが従来の場合よりも狭くて済むようになる薄型多極コネクタを提供することを目的とする。
【００１３】
さらに、本発明は、カードの薄形化や全体形状のコンパクト化を促進することのできる薄型多極コネクタを提供することを目的とする。
【００１４】
【課題を解決するための手段】
本発明に係る薄型多極コネクタはプラグＰとジャックＪとの組合せでなる。
【００１５】
本発明において、上記プラグはプラグ側接片群を形成している複数のプラグ側接片４１を各別に保持した複数の孔部３１が横配列されてなる横長平板状の接片保持部３を有する。また、上記ジャックは平板状の基体１を有し、その基体に、上記プラグ側接片のそれぞれに各別に接続可能でかつ横配列されて突出された複数のジャック側接片２１でなるジャック側接片群２が保持され、そのジャック側接片群が当該ジャックの少なくとも高さ方向一方側に向けて露出されている。しかも、上記接片保持部の横方向両端部にリブ状の一対の嵌合片部３４が設けられ、上記基体のジャック側接片群の横方向両側部位に上記嵌合片部をスライドさせて抜き差しすることが可能な一対のスライド溝部２２が設けられ、それらの嵌合片部とスライド溝部とに、互いに共働して複数の上記ジャック側接片に対して複数の上記孔部を各別に位置合わせするスライド当り面３６，２６がそれぞれ具備され、上記嵌合片部の端面がスライド当り面３６として当該嵌合片部に具備され、上記スライド溝部は嵌合片部を高さ方向から挟持する一対の溝壁２３，２４とそれらの一端部を連設している溝底壁２５とを具備し、この溝底壁の内面がスライド当り面２６として当該スライド溝部に具備され、上記嵌合片部は接片保持部よりも肉薄に形成され、嵌合片部３４の根元部分には、接片保持部の横方向両端面によって形成された段付面３５が具備されている
【００１６】
このようにジャックの平板状の基体に保持されているジャック側接片群が、当該ジャックの少なくとも高さ方向一方側に向けて露出されており、しかも、一対の嵌合片部を一対のスライド溝部に抜き差しするようになっていると、嵌合片部をスライド溝部に差し込んだときに、ジャックの高さ方向の一方側又は他方側にジャックの一部が重なり合わなくなる。この構成は、たとえば図１１に示したプラグ１００の壁部１２０を省略した構成に相当する。したがって、それだけ当該コネクタが薄形化され、ひいては実装スペースが従来の場合よりも狭くて済むようになる。また、嵌合片部がスライド溝部に差し込まれているときには、嵌合片部がそのスライド溝部の溝壁によって高さ方向のがたつきを生じないように挟持されると共に、嵌合片部のスライド当り面がスライド溝部のスライド当り面に接触して、接片保持部が横方向のがたつきを生じないように保たれる。このように、嵌合片部とスライド溝部とが共働してジャックに差し込まれたプラグのぐらつきを防ぎ、それらに具備されているスライド当り面がジャック側接片と孔部に保持されているプラグ側接片とを位置合わせするので、双方の接片の高い接触安定性が得られる。
【００１７】
また、本発明に係る薄型多極コネクタでは、上記した一対の嵌合片部や一対のスライド溝部を設ける代わりに、ジャックの基体に上記ジャック側接片群を当該ジャックの高さ方向他方側から覆う横長平板状の覆壁部２７を突出状に具備させると共に、上記ジャック側接片群を当該ジャックの高さ方向一方側に向けて露出させ、上記覆壁部と上記接片保持部とに振り分けて、互いに共働して複数の上記ジャック側接片に対して複数の上記孔部を各別に位置合わせする縦方向に長い凹条２８とその凹条に嵌脱可能な縦方向に長い凸条３３を設け、しかも、上記凹条を上記覆壁部に設け、上記凸条を上記接片保持部に設けると共に、上記凹条の始部には上記覆壁部が突出した突出部２９を具備し、上記接片保持部の凸条を設ける面の裏側の面には突起３９を具備する。
【００１８】
このものによっても、たとえば図１１に示したプラグ１００の壁部１２０を省略した構成が得られるので、それだけ当該コネクタが薄形化され、ひいては実装スペースが従来の場合よりも狭くて済むようになる。また、覆壁部とその覆壁部の凹条に嵌合された凸状とが共働して、ジャックとそのジャックに差し込まれたプラグとのぐらつきを防ぐと同時に、ジャック側接片と孔部に保持されているプラグ側接片とを位置合わせするので、双方の接片の高い接触安定性が得られる。さらに、ジャックの横幅寸法をプラグの横幅寸法と同等にしやすくなる。
【００１９】
本発明に係る薄型多極コネクタでは、上記した一対の嵌合片部や一対のスライド溝部と共に、上記覆壁部、上記凹条及び上記凸状を設けておいてもよい。この場合には、上記覆壁部の横方向両端部が一対の上記スライド溝部の片側の各溝壁に連設されていることが望ましく、そのようにすると覆壁部によって当該コネクタの薄型化が阻害されない。
【００２０】
本発明の薄型多極コネクタでは、上記ジャック側接片がピン型接片であり、上記プラグ側接片が、上記孔部に挿入されたジャック側接片が嵌入されるスリーブ型接片であることが望ましい。こうしておくと、スリーブ型接片であるプラグ側接片が、それに嵌入されたピン型接片でなるジャック側接片を保持する機能を発揮し、そのようなジャック側接片によるピン型接片保持作用がプラグのぐらつきを防ぐことに役立つので、ジャック側接片とプラグ側接片の重なり代を短くしても高い接触安定性が得られるようになる。そのため、ジャック側接片とプラグ側接片の重なり代を短くして、当該コネクタひいてはプラグが装備されるカードの縦長さ（奥行寸法）を短くすることが可能になる。
【００２１】
本発明の薄型多極コネクタでは、上記接片保持部の片面に配線基板の端部表面に重ね合わされる重なり部３２が形成され、その重なり部が重ね合わされた上記配線基板と共に上記プラグが偏平な中空のカード型ケース５に収容され、そのケースの前端に具備された開口５１に、上記孔部の開口している上記接片保持部の前端面３８が配備されていることが望ましい。この構成は、カードの縦長さに関して図１４で説明した構成に相当するのでカードの縦長さを短くすることに役立つ。
【００２２】
また、上記ケースの高さ方向片側の内面５２に上記配線基板が配備され、その配線基板の端部表面に重ね合わされた上記プラグと上記ケースの高さ方向他側の内面５３との間に、上記ジャックの覆壁部を挿抜可能な差込み空間Ｓが具備されていることが望ましい。また、上記凸条が上記接片保持部に設けられ、その凸条の頂面が上記ケースの高さ方向他側の内面に接触していることが望ましい。このものによると、接片保持部に設けられた縦方向に長い凸条の両側のスペースが、覆壁部の差込み空間として活用される。
【００２３】
ここで、図面の番号を参照したのは、発明の内容の理解を助けるためであって、発明の内容を図示のものに限定する意図ではない。
【００２４】
【発明の実施の形態】
図１は本発明に係る薄型多極コネクタを形成しているジャックＪとプラグＰとを示す概略斜視図、図２はジャックＪにプラグＰを差し込んで結合した場合の概略平面図、図３は図２のＩＩＩ−ＩＩＩ線に沿う拡大断面図、図４は図２のＩＶ−ＩＶ線に沿う拡大断面図、図５は図２のＶ部分を拡大した横断平面図、図６は図２のＶＩ−ＶＩ線に沿う拡大断面図、図７はプラグ側接片２１の部分側面図、図８は図７のＶＩＩＩ線矢視図である。
【００２５】
ジャックＪは、正面視が横長矩形をなす平板状の基体１を有しており、この基体１に、複数のジャック側接片２１…が横配列で所定ピッチおきに保持されてその基体１から直角に突出されている。これらのジャック側接片２１…によってジャック側接片群２が形成されている。図３又は図４のように、それぞれのジャック側接片２１は、基体１の裏側でその基体１の裏面に沿うように直角に曲成された端子部２２を一体に有し、その端子部２２が基体１を重ね合わせた配線基板２０の電極部分に半田付けされる。また、基体１から突出されているジャック側接片２１は、断面形状が円形又は多角形をなすピン型接片として形成されている。
【００２６】
基体１のジャック側接片群２の横方向Ｘ１（図１参照）の両側部位には、相対向する状態で対称形状の一対のスライド溝部２２，２２が突設されている。図６のように、スライド溝部２２は、一対の溝壁２３，２４とそれらの外側端部を連設している溝底壁２５とを備えており、溝底壁２５の内面（溝底面）がスライド当り面２６として形成されている。また、ジャック側接片群２は高さ方向Ｙ１（図１参照）の一方側（下側）に向けて露出されているのに対し、基体１には、ジャック側接片群２を高さ方向Ｙ１の他方側から覆う横長平板状の覆壁部２７が突出状に具備されている。図６で判るように、この覆壁部２７は、その横方向Ｘ１の両端部が一対のスライド溝部２２の片側（図例では上側）の溝壁２３に連設されている。さらに、覆壁部２７の左右の対称箇所に縦方向Ｚ１に長い凹条２８，２８が備わっており、それらの凹条２８，２８の始部では覆壁部２７が少し突出している。２９はその突出部を示している。
【００２７】
プラグＰは、横長平板状の接片保持部３を有している。この接片保持部３には、その接片保持部３を縦方向Ｚ２に貫通する複数の孔部３１が横配列で所定ピッチおきに形成されており、それらの各孔部３１…にプラグ側接片４１が各別に保持されている。図７及び図８のように、プラグ側接片４１は、略Ｕ字状の断面形状を有しており、その先端部分に長手方向に位置ずれした一対の接点部４２，４３を有している。このようなプラグ側接片４１はスリーブ型接片であり、上記したピン型接片であるジャック側接片２１が差し込まれたときには、そのジャック側接片２１をその長さ方向の広い範囲でぐらつかないように保持する特性を発揮する。複数のプラグ側接片４１によってプラグ側接片群が形成される。また、図３のように、それぞれのプラグ側接片４１には、接片保持部３の後方に突き出た端子部４４が連設されており、その端子部４４が、接片保持部３の片面に形成された重なり部３２に重ね合わされた配線基板４０の端部表面に形成されている電極部分に半田付けされる。接片保持部３の左右の対称箇所に縦方向Ｚ２に長い凸条３３，３３が備わっている。これらの凸条３３，３３は、上記した覆壁部２７の凹条２８，２８に各別に嵌脱可能である。
【００２８】
さらに、接片保持部３の横方向Ｘ２の両端部には、対称形状をなすリブ状の一対の嵌合片部３４，３４が設けられており、それらの嵌合片部３４，３４の端面がスライド当り面３６として形成されている。これらの嵌合片部３４は、接片保持部３よりも肉薄に形成されている。これは、接片保持部３が、上記孔部３１を形成し得る肉厚を必要とするのに対し、嵌合片部３４はそのような必要がないからである。したがって、嵌合片部３４の根元部分には、接片保持部３の横方向Ｘ２の端面によって形成された段付面３５が具備される。そして、図６に示したように嵌合片部３４がスライド溝部２２に差し込まれているときには、嵌合片部３４がそのスライド溝部２２の溝壁２３，２４によって高さ方向Ｙ２のがたつきを生じないように挟持されると共に、嵌合片部３４のスライド当り面３６がスライド溝部２２のスライド当り面２６に接触して、接片保持部３が横方向Ｘ２のがたつきを生じないように保たれ、同時に、複数のジャック側接片２１…に対して複数の孔部３１が各別に位置合わせされる。この位置合わせ作用は、覆壁部２７の凹条２８と接片保持部３の凸条３３とが嵌合することによっても発揮される。また、図６のように嵌合片部３４がスライド溝部２２に差し込まれているときには、接片保持部３の下面はスライド溝部２２の一方の溝壁２４の下面と面一に連続するようになっている。
【００２９】
以上説明したジャックＪとプラグＰとの組合せでなる薄型多極コネクタによると、ジャックＪの左右のスライド溝部２２，２２に、プラグＰの左右の嵌合片部３４，３４を差し込むと、それの各スライド当り面２６，３６の作用によって、それぞれのジャック側接片２１に対してプラグＰの接片保持部３に形成されているそれぞれの孔部３１が各別に位置合わせされるので、図２のようにジャックＪにプラグＰを完全に差し込んで両者を結合した状態では、プラグＰにぐらつきが生じず、しかも、上記孔部３１に保持されているプラグ側接片４１にジャック側接片２１が折曲りなどの損傷を受けることなく適正な状態で差し込まれる。これと同じ作用は、ジャックＪの覆壁部２７の左右の凹条２８，２８に、プラグＰの接片保持部３の左右の凸条３３，３３を差し込むことによっても発揮される。そして、上記のように、孔部３１に保持されているプラグ側接片４１にジャック側接片２１が折曲りなどの損傷を受けることなく適正な状態で差し込まれていると、図７及び図８で判るように、ピン型接片でなるジャック側接片２１がスリーブ型接片でなるプラグ側接片４１に長い範囲で保持され、しかも、プラグ側接片４１の２つの接点部４２，４３がジャック側接片２１を反対側に弾接して挟持する。このため、プラグＰがぐらつきを生じない状態でジャックＪに結合されていることが相乗して、ジャック側接片２１とプラグ側接片４１との間にきわめて高い接触安定性が得られる。
【００３０】
また、ジャックＪにプラグＰを差し込んで結合した状態では、図３や図４のように、プラグＰの片側だけにジャックＪの覆壁部２７が重なり、プラグＰの他側には何も重ならない。この状態は、図１１に示したプラグ１００の壁部１２０を省略した構成に相当するので、それだけ当該コネクタが薄形化されている。
【００３１】
図９はプラグＰをカード型ケース３に装備させてカード６を形成した状態を示している。また、図１０はそのカード６のプラグＰをジャックＪに差し込んで結合した状態を示している。図９及び図１０においては、ジャックＪやプラグＰをそれらの基本形状に簡略化して示してある。
【００３２】
図９及び図１０のように、プラグＰは、その接片保持部３の重なり部３２に重ね合わされた配線基板４０と共に、偏平な中空のケース５に収容されており、そのケース５の前端に具備された開口５１に、上記孔部３１（図１など参照）の開口している接片保持部３の前端面３８が配備されている。また、ケース５の高さ方向片側の内面５２に配線基板４０が配備されていると共に、プラグＰの接片保持部３とケース５の高さ方向他側の内面５３との間に、ジャックＪの覆壁部２７を挿抜可能な差込み空間Ｓが具備されている。さらに、接片保持部３の凸条３３の頂面がケース５の高さ方向他側の内面５３に接触している。
【００３３】
カード６を上記のように構成しておくと、カード６の縦長さＤに関して図１４で説明した構成に相当するのでカード６の縦長さが短くなる。また、この実施形態では、上記したようにピン型接片でなるジャック側接片２１がスリーブ型接片でなるプラグ側接片４１に長い範囲で保持されて両接片２１，４１がぐらつきにくい状態で結合されるので、ジャック側接片２１に対するプラグ側接片４１の差込み代を短くすることが可能になり、そのことがプラグＰの縦長さひいてはカード６の縦長さＤを短くすることに役立つ。さらに、プラグＰの接片保持部３に設けられた縦方向に長い凸条３３の両側のスペースが、ジャックＪの覆壁部２７の差込み空間Ｓとして活用される。
【００３４】
以上説明した実施形態では、ジャックＪに設けた一対のスライド溝部２２，２２とプラグＰの接片保持部３に設けた一対の嵌合片部３４，３４とを組み合わせてジャック側接片２１と孔部３１との位置合わせを行っていると共に、ジャックＪの覆壁部２７の一対の凹条２８，２８とプラグＰの接片保持部３の一対の凸条３３，３３との組合せによってもジャック側接片２１と孔部３１との位置合わせを行っているけれども、この点は、上記した２種類の組合せのうちの一方だけを採用してもよく、そのようにしても、図１１のプラグ１００の壁部１２０を省略した構成に相当する構成や、カード６の縦長さＤに関して図１４で説明した構成に相当する構成が得られる。
【００３５】
また、上記実施形態では、接片保持部３の横方向両端部に嵌合片部３４，３４を設け、基体１のジャック側接片群２の横方向両側部位にスライド溝部を設けてあるけれども、この点は、接片保持部の横方向両端部にスライド溝部を設け、基体のジャック側接片群の横方向両側部位に嵌合片部を設けることも可能である。
【００３６】
さらに、この実施形態では、ジャックＪに対してプラグＰが裏返しに誤挿入されるという事態が防止される。すなわち、プラグＰが裏返しに差し込まれようとしたときには、プラグＰ側の嵌合片部３４がスライド溝部２２の片側の溝壁２４に当たってそのような誤挿入が阻止される。この点に関し、図１、図３、図４などに示したように、プラグＰの接片保持部３の裏側に突起３９を突出しておけば、その突起３９がジャックＪの覆壁部２７に当たることによっても誤挿入が防止されるようになる。
【００３７】
【発明の効果】
以上のように、本発明によれば、薄型多極コネクタに関し、ジャック側接片とプラグ側接片との高い接触安定性を確保できると同時に、さらなる薄形化やコンパクト化が達成されるようになる。そのため、本発明に係る薄型多極コネクタは、配線基板に搭載するのに必要な実装スペースが従来の場合よりも狭くて済むようになり、また、カードの薄形化や全体形状のコンパクト化を促進する上でも極めて有益である。
【図面の簡単な説明】
【図１】本発明に係る薄型多極コネクタを形成しているジャックとプラグとを示す概略斜視図である。
【図２】ジャックにプラグを差し込んで結合した場合の概略平面図である。
【図３】図２のＩＩＩ−ＩＩＩ線に沿う拡大断面図である。
【図４】図２のＩＶ−ＩＶ線に沿う拡大断面図である。
【図５】図２のＶ部分を拡大した横断平面図である。
【図６】図２のＶＩ−ＶＩ線に沿う拡大断面図である。
【図７】プラグ側接片の部分側面図である。
【図８】図７のＶＩＩＩ線矢視図である。
【図９】カードとジャックとを示した説明図である。
【図１０】カードのプラグをジャックに差し込んで結合した状態の説明図である。
【図１１】従来例の断面図である。
【図１２】他の従来例のカードとジャックとを示した説明図である。
【図１３】図１２のカードのプラグをジャックに差し込んで結合した状態の説明図である。
【図１４】さらに他の従来例のカードのプラグをジャックに差し込んで結合した状態の説明図である。
【符号の説明】
Ｐ  プラグ
Ｊ  ジャック
１  基体
２  ジャック側接片群
３  接片保持部
５  カード型ケース
２１  ジャック側接片
２２  スライド溝部
２３，２４  溝壁
２６，３６  スライド当り面
２７  覆壁部
２８  凹条
２９  突出部
３１  孔部
３２  重なり部
３３  凸条
３４  嵌合片部
３５  段付面
３８  接片保持部の前端面
３９  突起
４１  プラグ側接片
５１  ケースの開口
５２，５３  ケースの内面
Ｓ  差込み空間
【図１】
0003554679.tif 000002
【図２】
0003554679.tif 000003
【図３】
0003554679.tif 000004
【図４】
0003554679.tif 000005
【図５】
0003554679.tif 000006
【図６】
0003554679.tif 000007
【図７】
0003554679.tif 000008
【図８】
0003554679.tif 000009
【図９】
0003554679.tif 000010
【図１０】
0003554679.tif 000011
【図１１】
0003554679.tif 000012
【図１２】
0003554679.tif 000013
【図１３】
0003554679.tif 000014
【図１４】
0003554679.tif 000015